(57)【要約】【課題】被接続管の位相を合わせるための位置決め機構を備えた管継手を備える噴管ユニットについて、前記管継手による噴管の接続を作業者の感覚などに頼らずに簡単かつ迅速に行えるようにすることを課題としている。【解決手段】被接続管同士を接続する管継手１０が、ソケット１１と、そのソケットの第１スリーブ１１ａに差し込まれるプラグ１２と、シール部材１１ｇと、ソケットに対するプラグの差し込み状態を保持するロック機構と、ソケットとプラグの位相を合わせる位置決め機構を備えた液体散布装置の噴管ユニットを、プラグ１２の外周に、相対回転不可及び軸方向相対移動不可のプラグガイド１５を有し、そのプラグガイド１５とソケット１１の第２スリーブ１１ｃに、ソケットとプラグの位相を合致させて互いに嵌り合う目視可能な第２の凸部１７と、目視可能な第２の凹部１８が設けられたものにした。【選択図】図１
2019208450.tif 000002
【特許請求の範囲】
【請求項１】
被接続管の少なくともひとつが噴口（３）を備えた噴管（２）で構成され、前記被接続管同士が管継手（１０）を介して切り離し自在に接続され、
前記管継手（１０）は、第１スリーブ（１１ａ）及びその第１スリーブの外周に相対回転不可、かつ、軸方向スライド自在に装着される第２スリーブ（１１ｃ）を組みあわせたソケット（１１）と、前記第１スリーブ（１１ａ）の内側に差し込まれるプラグ（１２）と、前記ソケット（１１）とプラグ（１２）との間を液密にシールするシール部材（１１ｇ）と、前記ソケット（１１）に対する前記プラグ（１２）の差し込み状態を保持するロック機構と、前記ソケット（１１）とプラグ（１２）の位相を合わせる位置決め機構を備えており、
前記位置決め機構は、前記第１スリーブ（１１ａ）と前記プラグ（１２）に対応して設けられて互いに嵌り合う第１の凹部（１３）と第１の凸部（１４）とで構成され、
前記第２スリーブ（１１ｃ）をアンロック点に引き動かした状態下で前記プラグ（１２）が前記ソケット（１１）に差し込まれ、前記ソケット（１１）とプラグ（１２）の位相が合致した位置で前記第１の凹部（１３）と第１の凸部（１４）が非円形嵌合して前記プラグ（１２）の差し込みが終点までなされ、
その差し込み終点で前記第２スリーブ（１１ｃ）がロック点に戻されて前記ロック機構による前記プラグ（１２）の前記ソケット（１１）への差し込み状態が保持されるように構成された液体散布装置の噴管ユニットであって、
前記プラグ（１２）の外周に、当該プラグに対して相対回転不可及び軸方向相対移動不可に装着されたプラグガイド（１５）を有し、そのプラグガイド（１５）は、前記プラグ（１２）が前記ソケット（１１）に差し込み終点まで挿入された位置でロック点に移動した前記第２スリーブ（１１ｃ）の先端に突き合わされる位置にあり、そのプラグガイド（１５）と前記第２スリーブ（１１ｃ）に、前記ソケット（１１）とプラグ（１２）の位相を合致させて互いに嵌り合う軸方向に突出した目視可能な第２の凸部（１７）と軸方向に入り込んだ目視可能な第２の凹部（１８）が設けられた液体散布装置の噴管ユニット。
【請求項２】
前記第２の凸部（１７）は、側面（ｓ、ｓ）が当該凸部の先端側に向かって互いに近づく方向に傾斜したテーパ部（１７ａ）を有し、前記第２の凹部（１８）は、前記テーパ部（１７ａ）に対応したテーパの案内面（１８ａ）を入口側に有する請求項１に記載の液体散布装置の噴管ユニット。
【請求項３】
前記第２の凸部（１７）が前記プラグガイド（１５）に設けられて前記テーパ部（１７ａ）の先端と前記第１の凸部（１４）の根元が軸方向に揃う位置にあり、さらに、前記第２の凸部（１７）が、前記テーパ部（１７ａ）の先端からさらに軸方向に突出する軸心と平行な両側面を備えた小凸部（１７ｂ）を有し、前記第２の凹部（１８）は前記小凸部（１７ｂ）が適合して嵌る小凸部受け入れ部（１８ｂ）を奥端側に有する請求項２に記載の液体散布装置の噴管ユニット。
【発明の詳細な説明】
【技術分野】
【０００１】
この発明は、農薬や水などの散布に用いられる液体散布装置の噴管ユニット、詳しくは、管継手による噴管接続部に工夫を凝らして位相合わせが必要な噴管の接続を、簡単かつ迅速に行えるようにした噴管ユニットに関する。
なお、ここで言う噴管接続部は、長手方向に切り離された噴管相互の継ぎ足し接続部や、液体散布装置の噴管支持部に対する噴管の接続部である。
【背景技術】
【０００２】
首記の噴管ユニットの従来技術として、下記特許文献１に示されたものがある。同文献に記載された噴管ユニットは、被接続管の少なくともひとつが噴口（ノズル）を備えた噴管で構成され、その被接続管が接続相手の噴管や液体散布装置の噴管支持部に対してワンタッチ式の管継手を介して切り離し自在に接続されたものになっている。
【０００３】
前記管継手は、ソケットと、そのソケットに差し込まれるプラグと、前記ソケットに対するプラグの差し込み終点において差し込み状態を保持するロック機構と、前記ソケットとプラグの位相を合わせる位置決め機構を備えている。
【０００４】
前記ロック機構は、前記プラグの外周に設ける係止溝と、前記ソケットに設けた径方向貫通孔に組み込まれる球体と、前記ソケットに相対回転不可、かつ、軸方向スライド自在に外嵌される第１スリーブと、その第１スリーブをロック方向（ソケットからプラグを抜き取る方向）に付勢するスプリングとで構成されている。
【０００５】
前記プラグは、前記第１スリーブをアンロック点に引き動かして前記ソケットに差し込まれる。その差し込みが終点までなされると、前記球体の一部が前記ソケットの内面側に突出して前記係止溝に入り込む。
【０００６】
この状態で前記第１スリーブが前記スプリングの力でロック点（プラグ抜き取り方向への移動終点）に移動して前記球体の前記係止溝に対する入り込み状態が保持され、これにより、前記プラグの前記ソケットからの抜けが阻止される。
【０００７】
前記位置決め機構は、前記第１スリーブとプラグに対応して設ける凹部と凸部とからなる。その凹部と凸部は、ソケットとプラグの位相が合致した位置で非円形嵌合して前記ソケットとプラグの相対回転を阻止する。
【０００８】
噴管同士の接続では互いに接続される噴管の噴口の向きを揃える必要があり、また、液体散布装置の噴管支持部に対する噴管の接続部においては、噴霧の切り替えレバーなどを備える噴管支持部に対して噴管を規定された向きに接続する必要があることから前記ソケットとプラグの位相合わせは不可欠である。
【先行技術文献】
【特許文献】
【０００９】
【特許文献１】特開２０１６−１４０３３９号公報
【発明の概要】
【発明が解決しようとする課題】
【００１０】
この発明は、前記特許文献１に記載された噴管ユニットを改善するものである。同文献に記載された噴管ユニットの管継手は、前記プラグの外周に鍔を設け、その鍔の前面（プラグ差し込み方向前方側の面）に二面幅の面取り部が外周に形成された前記位置決め機構の凸部を設け、その凸部を前記第１スリーブの内側に形成された凹部に非円形嵌合させるものになっている。
【００１１】
前記プラグの外周の鍔は、前記第１スリーブの内側に差し込まれ、その鍔の前面に前記凸部が設けられていることから、特許文献１の噴管ユニットは、プラグをソケットに差し込むときに前記凸部の向きと前記凹部の向きが合致しているかを目視することができなかった。
【００１２】
そのために、プラグをソケットに途中まで差し込み、差し込み力を加えた状態でプラグのある側の被接続管とソケットのある側の被接続管を前記凸部と凹部が嵌り合うところまで相対回転させる方法を採っている。
【００１３】
その接続作業は、作業者の感覚や慣れなどに頼らざるを得ないところがあり、作業性の更なる向上の要求に対して充分に応えられていない。
【００１４】
そこで、この発明は、被接続管の位相を合わせるための位置決め機構を備えた管継手を備える噴管ユニットについて、前記管継手による噴管の接続を作業者の感覚などに頼らずに簡単かつ迅速に行えるようにすることを課題としている。
【課題を解決するための手段】
【００１５】
上記の課題を解決するため、この発明においては、被接続管の少なくともひとつが噴口を備えた噴管で構成され、前記被接続管同士が管継手を介して切り離し自在に接続され、
前記管継手は、第１スリーブ及びその第１スリーブの外周に相対回転不可、かつ、軸方向スライド自在に装着される第２スリーブを組みあわせたソケットと、前記第１スリーブの内側に差し込まれるプラグと、前記ソケットとプラグとの間を液密にシールするシール部材と、前記ソケットに対する前記プラグの差し込み状態を保持するロック機構と、前記ソケットとプラグの位相を合わせる位置決め機構を備えており、
前記位置決め機構は、前記第１スリーブと前記プラグに対応して設けられて互いに嵌り合う第１の凹部と第１の凸部とで構成され、
前記第２スリーブをアンロック点に引き動かした状態下で前記プラグが前記ソケットに差し込まれ、前記ソケットとプラグの位相が合致した位置で前記第１の凹部と第１の凸部が非円形嵌合して前記プラグの差し込みが終点までなされ、
その差し込み終点で前記第２スリーブがロック点に戻されて前記ロック機構による前記プラグの前記ソケットへの差し込み状態が保持されるように構成された液体散布装置の噴管ユニットを以下の通りに構成した。即ち、
前記プラグの外周に、当該プラグに対して相対回転不可及び軸方向相対移動不可に装着されたプラグガイドを有し、そのプラグガイドは、前記プラグが前記ソケットに差し込み終点まで挿入された位置でロック点に移動した前記第２スリーブの先端に突き合わされる位置にあり、そのプラグガイドと前記第２スリーブに、前記ソケットとプラグの位相を合致させて互いに嵌り合う軸方向に突出した目視可能な第２の凸部と軸方向に入り込んだ目視可能な第２の凹部が設けられたものにした。
【００１６】
前記第２の凸部は、両側面が凸部の先端側に向かって互いに近づく方向に傾斜したテーパ部を有し、前記第２の凹部は、前記テーパ部に対応したテーパの案内面を入口側に有するものが好ましい。
【００１７】
また、前記第２の凸部が前記プラグガイドに設けられて前記テーパ部の先端と前記第１の凸部の根元が軸方向に揃う位置にあり、さらに、前記第２の凸部が、前記テーパ部の先端からさらに軸方向に突出する両側面の軸心と平行な小凸部を有し、前記第２の凹部は前記小凸部が適合して嵌る小凸部受け入れ部を奥端側に有するものにしておくのも好ましい。
【発明の効果】
【００１８】
この発明の噴管ユニットは、前記第２スリーブと前記プラグの外周に固定して設けたプラグガイドに目視可能な第２の凸部と第２の凹部を設けており、その第２の凸部と第２の凹部を目視しながら嵌合させることで、前記プラグとソケットの位相の合致状態を確認してプラグをソケットに差し込むことができる。
【００１９】
これにより、挿入力を加えながら被接続管を意図的に相対回転させて凹部と凸部の位置を合わせる作業が不要になり、管継手による接続作業の容易化と迅速化が図れる。
【００２０】
なお、前記第２の凸部が前記テーパ部を有し、さらに、前記第２の凹部が前記テーパの案内面を入口側に有するものは、前記テーパの案内面に対する第２の凸部の接触部に、プラグ押し込み力の分力がプラグとソケットを相対回転させる力として加わるため、プラグとソケットの位相のずれが自然に修正され、接続作業がより簡単になる。
【００２１】
また、前記第２の凸部が前記プラグガイドに設けられて前記テーパ部の先端が前記第１の凸部の根元と重なる位置にあり、さらに、前記第２の凸部が前記小凸部を、前記第２の凹部が前記小凸部受け入れ部をそれぞれ有する管継手を備えた噴管ユニットは、前記小凸部と小凸部受け入れ部の嵌合によって、プラグとソケットの位相保持の効果が高められる。
【図面の簡単な説明】
【００２２】
【図１】この発明の噴管ユニットの一形態の外観を管継手による接続を解いた状態にして示す斜視図である。
【図２】図１の噴管ユニットの一部を拡大して示す側面図である。
【図３】図２の噴管ユニットの管継手による噴管接続部の側面図である。
【図４】図３のＡ−Ａ線に沿った断面図である。
【図５】図２の噴管ユニットの噴管を切り離した状態にして示す側面図である。
【図６】図５のＢ−Ｂ線に沿った断面図である。
【図７】図６のＣ−Ｃ線に沿った方向（図５の断面図位置から９０°回転した位置）の断面図である。
【図８】噴管の切り離し状態を示す斜視図である。
【図９】管継手のソケット側の端面図である。
【図１０】図７のＤ−Ｄ線に沿った断面図である。
【図１１】図７の鎖線枠Ｅの部分を拡大した断面図である。
【発明を実施するための形態】
【００２３】
以下、この発明の液体散布装置の噴管ユニットの実施の形態を添付図面の図１〜図１１に基づいて説明する。
【００２４】
図１の噴管ユニット１は、長手方向に分割された各々が噴口（ノズル）３を有する噴管２（説明の便宜上、一方の噴管を２-１，他方の噴管を２-２とする）を管継手１０を介して切離し自在に接続したものになっている。
【００２５】
噴管２-１は、液体散布装置の噴管支持部（図示せず）に対する接続部４を設けた管、噴管２-２は、非接続側の端部を端栓５で塞いだ管になっているが、３本以上の噴管を継ぎ足す噴管ユニットや、液体散布装置の噴管支持部に対する噴管の接続を管継手１０で行う噴管ユニットも考えられる。
【００２６】
管継手１０は、図４、図５、図６、図７に詳しく示した、ソケット１１、そのソケットに挿入されるプラグ１２、ソケット１１に対するプラグ１２の差し込み状態を保持するロック機構、及びソケット１１とプラグ１２を位相の合致点に保持する位置決め機構を組み合わせたものが用いられている。
【００２７】
前記ロック機構は、いずれも後述する球体１１ｂ、第２スリーブ１１ｃ、第１スプリング１１ｄ及びプラグ１２側の係止溝１２ｂとで構成されるものである。
【００２８】
また、前記位置決め機構は、これも後述するソケット側の第１の凹部１３と、プラグ側の第１の凸部１４とで構成されるものである。
【００２９】
前記ソケット１１は、第１スリーブ１１ａ、球体１１ｂ、第２スリーブ１１ｃ、第１スプリング１１ｄ、第３スリーブ１１ｅ、第２スプリング１１ｆ、ソケット１１とプラグ１２との間を封止するシール部材１１ｇ、噴管２−１とソケット１１との間を封止するシールリング１１ｈ、及びシール押さえ１１ｉを組み合わせて構成されている。
【００３０】
第１スリーブ１１ａは、プラグ１２が差し込まれるスリーブである。球体１１ｂは、第１スリーブ１１ａに設けられた径方向の貫通孔Ｈに組み込まれている。
【００３１】
また、第２スリーブ１１ｃは、第１スリーブ１１ａの外側に相対回転不可、かつ、軸方向スライド可能に装着され、第１スプリング１１ｄによってロック方向（プラグ１２がソケット１１から抜き出される方向）に付勢されている。
【００３２】
第３スリーブ１１ｅは、第１スリーブ１１ａの内側に軸方向スライド自在に配置され、第２スプリング１１ｆによって第２スリーブ１１ｃと同じ方向に付勢されている。
【００３３】
この第３スリーブ１１ｅは、プラグ１２がソケット１１から抜き取られているときに第１スリーブ１１ａに設けられた貫通孔Ｈの内端側開口を塞いで球体１１ｂの一部が第１スリーブ１１ａの内側に突出するのを防止する。
【００３４】
プラグ１２が第１スリーブ１１ａに差し込まれるときには、第３スリーブ１１ｅそのプラグ１２に押し動かされて第１スリーブ１１ａの貫通孔Ｈの内端側開口を開放する位置に退避し、これにより、球体１１ｂの一部がプラグ外周の係止溝１２ｂに入り込む。その入り込み状態が、第２スリーブ１１ｃがロック点に戻されることで保持されて管継手１０による噴管２−１，２−２の接続状態が維持される。
【００３５】
シール部材１１ｇは、第１スリーブ１１ａの内周とプラグ１２の外周との間に配置され、シールリング１１ｈは、シール押さえ１１ｉにより組み付け位置に保持されてソケット１１とそのソケットを取り付ける噴管２−１との間に配置されている。
【００３６】
第１スリーブ１１ａは、第３スリーブ１１ｅ等の組み付けのために、軸方向に分割された２つの分割体Ｓｂ１、Ｓｂ２をねじ結合させ、さらに、分割体Ｓｂ１の先端面に、中心部を径方向に横断する平行平面の内面ｆｓ１（図９参照）を備えた第１の凹部１３を設けたものが用いられており、分割体Ｓｂ２が噴管２−１にねじ結合されている。
【００３７】
この第１スリーブ１１ａは、分割体Ｓｂ１の先端側の外周に平行な平面ｆｓ２（これも図９参照）を有しており、第２スリーブ１１ｃがその平面ｆｓ２（これも図９参照）のある先端側に非円形嵌合して回り止めされる。
【００３８】
プラグ１２は、第１スリーブ１１ａに挿入される部位１２ａの外周に、係止溝１２ｂと、端面が第３スリーブ１１ｅの先端に突き当たる環状凸部１２ｃを有する。
【００３９】
また、部位１２ａ後端に連なった大径筒部１２ｄを有し、その大径筒部１２ｄの先端の端壁の前面に、噴管２−１と２−２の位相が揃った位置（ソケット１１とプラグ１２の位相が揃った位置）で第１の凹部１３に適合して嵌る第１の凸部１４が突出して設けられている。
【００４０】
プラグ１２の大径筒部１２ｄの先端の端壁は、ソケット１１に対するプラグ１２の差し込み終点でソケット１１の開口を閉鎖する働きをする。
【００４１】
プラグ１２は、大径筒部１２ｄが噴管２−２にねじ結合される。その大径筒部１２ｄと噴管２−２との間も、シールリング１１ｈによって液密に封止される。シールリング１１ｈはソケット側のシールリングと同様に大径筒部１２ｄにねじ結合させたシール押さえ１２ｅによって組み付け位置に保持される。
【００４２】
プラグ１２の大径筒部１２ｄの外周には、プラグガイド１５が設けられている。そのプラグガイド１５は、プラグ１２に対して相対回転不可及び軸方向相対移動不可に装着されている。
【００４３】
プラグ１２の大径筒部１２ｄは、図１０に示すように、平行配置の平面ｆｓ３を外周に有しており、その大径筒部１２ｄにプラグガイド１５が非円形嵌合してプラグ１２とプラグガイド１５の相対回転が阻止されている。
【００４４】
また、プラグガイド１５の内面には、係止爪１６（図１１参照）が設けられており、その係止爪１６がプラグ１２の大径筒部１２ｄの外周の段差部に引き止められてプラグ１２とプラグガイド１５の軸方向相対移動が阻止されるようになっている。
【００４５】
プラグガイド１５は、プラグ１２がソケット１１に対して差し込み終点まで挿入された位置で第２スリーブ１１ｃの先端に突き合わされる位置にある。
【００４６】
そのプラグガイド１５と第２スリーブ１１ｃに、プラグ１２がソケット１１に対して差し込み終点まで挿入された位置で互いに嵌り合う、対応した形状を持った第２の凸部１７と第２の凹部１８が設けられている。
【００４７】
第２の凸部１７と第２の凹部１８は、バランスを考えてプラグガイド１５と第２スリーブ１１ｃの１８０°回転した位置の２箇所に設けているが、少なくとも１箇所あればよい。
【００４８】
第２の凸部１７と第２の凹部１８は、噴管２−１と２−２の位相が揃った位置で互いに嵌り合う位置にある。
【００４９】
プラグガイド１５に設けられた第２の凸部１７は、側面ｓ、ｓ（図３、図５参照）が、当該凸部の先端側に向かって互いに近づく方向に傾斜したテーパ部１７ａを有している。そのテーパ部１７ａの先端と第１の凸部１４の根元が軸方向に揃う位置にある。
【００５０】
さらに、第２の凸部１７には、テーパ部１７ａの先端から軸方向にさらに突出する小凸部１７ｂが設けられている。小凸部１７ｂは、両側面が軸心と平行な凸部である。
【００５１】
第２の凹部１８は、第２の凸部のテーパ部１７ａに対応したテーパの案内面１８ａを入
口側に有している。また、小凸部１７ｂが適合して嵌る小凸部受け入れ部１８ｂを奥端側に有している。
【００５２】
プラグガイド１５と第２スリーブ１１ｃは外径が等しい。また、プラグガイド１５と第２スリーブ１１ｃの外周の性状（図のそれは滑り止めセレーションの大きさとピッチ）も一致したものにしており、管継手１０による噴管接続部の見栄えがよい。
【００５３】
前記第２の凸部１７と第２の凹部１８は、第２の凸部１７が第２スリーブ１１ｃの先端に、第２の凹部１８がプラグガイド１５の先端にそれぞれ設けられていてもよい。
【００５４】
このように構成された例示の噴管ユニット１は、噴管２-１，２-２を接続するときに第２の凸部１７と第２の凹部１８の位置を目視することで、第１の凹部１３と第１の凸部１４の位置が合致したことを確認することができ、管継手１０を介した被接続管の接続を簡単かつ迅速に行うことができる。
【００５５】
特に、例示の管継手１０は、第２の凹部１８の入口部に第２の凸部１７のテーパ部１７ａが適合して嵌るテーパの案内面１８ａを設けており、そのテーパの案内面１８ａによる誘導作用で互いに接続する管の位相のずれがプラグ押し込み時に修正されるため、接続作業がより簡単になる。
【００５６】
例示の管継手１０は、第２の凸部１７に含ませた小凸部１７ｂが第２の凹部１８の小凸部受け入れ部１８ｂに嵌ってソケット１１とプラグ１２の位相保持（相対回転防止）の効果も高められる。
【００５７】
なお、第２の凸部１７と第２の凹部１８は、第１の凹部１３と第１の凸部１４の位相が一致したことを目視確認することを主目的として設置した。第１の凹部１３と第１の凸部１４を削除してソケット１１とプラグ１２の位相保持を、第２の凸部１７と第２の凹部１８の嵌合部のみに依存して行うのは、位相保持の信頼性が不十分になって好ましくない。
【符号の説明】
【００５８】
１          噴管ユニット
２−１，２−２  噴管
３          噴口
４          接続部
１０        管継手
１１        ソケット
１１ａ      第１スリーブ
Ｓｂ１，Ｓｂ２  分割体
Ｈ          径方向の貫通孔
１１ｂ      球体
１１ｃ      第２スリーブ
１１ｄ      第１スプリング
１１ｅ      第３スリーブ
１１ｆ      第２スプリング
１１ｇ      シール部材
１１ｈ      シールリング
１１ｉ      シール押さえ
１２        プラグ
１２ａ      第１スリーブに挿入される部位
１２ｂ      係止溝
１２ｃ      環状凸部
１２ｄ      大径筒部
１２ｅ      シール押さえ
１３        第１の凹部
１４        第１の凸部
１５        プラグガイド
１６        係止爪
１７        第２の凸部
１７ａ       テーパ部
１７ｂ      小凸部
ｓ          第２の凸部の側面
１８        第２の凹部
１８ａ      テーパの案内面
１８ｂ      小凸部受け入れ部
【図１】
2019208450.tif 000003
【図２】
2019208450.tif 000004
【図３】
2019208450.tif 000005
【図４】
2019208450.tif 000006
【図５】
2019208450.tif 000007
【図６】
2019208450.tif 000008
【図７】
2019208450.tif 000009
【図８】
2019208450.tif 000010
【図９】
2019208450.tif 000011
【図１０】
2019208450.tif 000012
【図１１】
2019208450.tif 000013